(57)【要約】【課題】  酒を継続的に適温で飲用することができる酒燗冷装置を提供すること。【解決手段】  保温カップ２０内には温水または冷水が投入されており、盃１０内の酒は温水から伝熱器４０を通して熱が伝達されることに基いて昇温し、伝熱器４０を通して冷水に熱が伝達されることに基いて降温する。この構成の場合、飲用者が酒を１杯の盃１０毎に加熱または冷却することができるので、酒を継続的に適温で飲用することが可能になる。【選択図】  図２
2006136612.tif 000002
【特許請求の範囲】
【請求項１】
熱交換源が投入される容器と、
前記容器内の熱交換源と前記容器外の盃との間で熱の授受を行うことに基いて盃内の酒を昇温または降温させる伝熱器とを備え、
前記伝熱器には、前記盃が着脱可能に装着される盃台が設けられていることを特徴とする酒燗冷装置。
【請求項２】
前記盃台は、
前記盃に直接的に接触する伝熱用のヘッド部と、
前記ヘッド部を保持するベース部と、
前記ヘッド部と前記ベース部との間に設けられ、前記盃の脚部が着脱可能に挿入される空間状の盃挿入部と
を備えていることを特徴とする請求項１記載の酒燗冷装置。
【請求項３】
前記盃には、残りの部分に比べて厚肉な伝熱部が底部に位置して設けられ、
前記盃台のヘッド部は、前記伝熱部に直接的に接触することを特徴とする請求項２記載の酒燗冷装置。
【請求項４】
前記容器は、外部からエネルギーが印加されることなく前記熱交換源の温度変動を抑制する保温容器であることを特徴とする請求項１〜３のいずれかに記載の酒燗冷装置。
【発明の詳細な説明】
【技術分野】
【０００１】
本発明は、酒を加熱および冷却することが可能な酒燗冷装置に関する。
【背景技術】
【０００２】
上記酒燗冷装置には、徳利を水槽内に投入し、水槽内の水を電気的ヒータによって加熱することに基いて徳利内の酒を温度上昇させる構成のものがある。
【特許文献１】特開２００３−０１９０７０号公報
【発明の開示】
【発明が解決しようとする課題】
【０００３】
上記従来構成の場合、酒を徳利単位でしか加熱することができないので、酒を徳利から盃に移して飲用することを繰返すうちに徳利内の酒が冷えてしまう不便さがある。
【０００４】
本発明は上記事情に鑑みてなされたものであり、その目的は、酒を継続的に適温で飲用することができる酒燗冷装置を提供することにある。
【課題を解決するための手段】
【０００５】
請求項１記載の酒燗冷装置は１）容器〜２）伝熱器を備えたところに特徴を有するものであり、１）容器〜２）伝熱器の詳細は次の通りである。
１）容器は熱交換源が投入されるものである。この熱交換源は盃内の酒を加熱する熱源および盃内の酒を冷却する冷却源を総称する用語であり、非常温度の気体や液体や固体等の非電気的手段およびヒータ等の電気的手段の双方を含む。
２）伝熱器は容器内の熱交換源から容器外の盃に熱を伝達したり、盃内の酒から容器内の熱交換源に熱を伝達するものであり、盃内の酒は容器内の熱交換源から熱が伝達されることに基いて昇温し、容器内の熱交換源に熱を伝達することに基いて降温する。この伝熱器は盃台を有している。この盃台とは盃を容器の外部で伝熱器に着脱可能に接続するための接続器を称しており、酒の飲用者は盃を盃台にセットし、盃内に酒を移す程度で適温に昇温または降温することができる。即ち、請求項１に係る発明は酒の飲用者が自ら酒を昇温または降温しながら飲用することを可能とするものであり、酒の昇温または降温を盃単位で手軽に実行可能としたところに特徴を有する。
請求項２記載の酒燗冷装置は盃台の具体構成を言及したものであり、１１）ヘッド部と１２）ベース部と１３）盃挿入部とを備えたところに特徴を有する。
１１）ヘッド部は盃に直接的に接触するものであり、盃および熱交換源はヘッド部を通して熱の授受を行う。
１２）ベース部はヘッド部を保持する台として機能するものである。
１３）盃挿入部はヘッド部とベース部との間に設けられた空間部を称するものであり、盃は脚部が盃挿入部内に着脱可能に挿入されることに基いて盃台に対して着脱可能にされている。
請求項３記載の酒燗冷装置は盃の温度分布を改善するものであり、盃台のヘッド部を盃の伝熱部に接触させるところに特徴を有する。この伝熱部は盃の底部に配置されたものであり、盃のうち残りの部分に比べて厚肉な部分を称する。この伝熱部は盃台のヘッド部を介して直接的に加熱または冷却されるものであり、盃内の酒を加熱または冷却するときには盃の底部が残りの部分に比べて高温傾向または低温傾向になる。
請求項４記載の酒燗冷装置は容器として保温容器を用いたものであり、保温容器とは外部からエネルギーが印加されることなく熱交換源の温度変動を抑制する断熱機能が添付された容器を称する。
【発明の効果】
【０００６】
酒の飲用者が盃台上の盃内に酒を移すと、盃内の酒と熱交換源との間で熱の授受が行われることに基いて盃内の酒が昇温または降温する。このため、飲用者が酒を盃単位で適温に自ら加熱または冷却することができるので、酒を継続的に適温で飲用することが可能になる。
【発明を実施するための最良の形態】
【０００７】
【実施例１】
【０００８】
酒燗冷装置は、図１に示すように、盃１０と保温カップ２０とカップカバー３０と伝熱器４０を有している。保温カップ２０は熱交換源に相当する温水または冷水が投入されるものであり、投入水を貯留する貯水容器としての機能に加え、貯留水を外部に対して熱的に遮断することに基いて貯留水の温度変動を抑える断熱機能を有している。この保温カップ２０の上面は保温カップ２０内に温水または冷水を投入する目的で開放されており、カップカバー３０は保温カップ２０の投入口を覆う蓋として機能する。
【０００９】
伝熱器４０は保温カップ２０内の貯留水と盃１０内の酒とを熱的に接続する接続器に相当するものであり、保温カップ２０内の温水の熱を盃１０に伝達することに基いて盃１０内の酒を加熱し、盃１０内の酒の熱を保温カップ２０内の冷水に伝達することに基いて盃１０内の酒を冷却する。即ち、酒は一杯の盃単位で加熱および冷却されるものであり、盃１０は水濡れすることなく間接的に加熱および冷却される。以下、盃１０〜伝熱器４０の詳細構成について説明する。
１．盃１０の説明
盃１０は錫を材料に形成されたものであり、図２に示すように、受皿部１１および脚部１２を有している。受皿部１１は酒を受ける円形皿状をなすものであり、受皿部１１の底部には伝熱部１３が形成されている。この伝熱部１３は受皿部１１のうち残りの部分に比べて厚肉なものであり、伝熱部１３の下面は水平面状に形成されている。脚部１２は盃１０を机上に載置するためのものであり、伝熱部１３を囲う円筒状をなしている。
２．保温カップ２０の説明
保温カップ２０は容器および保温容器に相当するものであり、底面が閉鎖された円筒状をなしている。この保温カップ２０はステンレス製の内槽２１とステンレス製の外槽２２とを接合することから構成されたものであり、内槽２１と外槽２２との間には空間状の真空層２３が形成されている。この真空層２３は内槽２１と外槽２２との間を真空引きしてなるものであり、保温カップ２０内の貯留水を外部に対して熱的に遮断する断熱層として機能する。
３．カップカバー３０の説明
カップカバー３０は合成樹脂を材料に成形された円形状をなすものであり、カップカバー３０の下面には径小な円環状のプラグ３１が一体形成されている。このプラグ３１は保温カップ２０の内周面に着脱可能に嵌合されるものであり、カップカバー３０はプラグ３１の外周面が保温カップ２０の内周面に接触することに基いて保温カップ２０に対して同心状に位置決めされる。
【００１０】
カップカバー３０の中央部には円形状の開口部３２が形成されている。この開口部３２はカップカバー３０およびプラグ３１を厚さ方向に貫通するものであり、カップカバー３０には開口部３２の外周部に位置して円環状の座部３３が形成されている。この座部３３はカップカバー３０の上面に比べて低所に配置されたものであり、カップカバー３０の上面に対して平行な水平面状をなしている。
４．伝熱器４０の説明
伝熱器４０はアルミニウムを材料に形成されたものであり、盃台４１を有している。この盃台４１はベース部４２とヘッド部４３を有するものであり、ベース部４２はカップカバー３０の開口部３２内に着脱可能に挿入されている。このベース部４２は底面が閉鎖された円筒状をなすものであり、カップカバー３０の開口部３２はベース部４２によって塞がれている。このベース部４２の上端部には円環状のフランジ部４４が一体形成されている。このフランジ部４４はカップカバー３０の座部３３によって支持されたものであり、ベース部４２は座部３３がフランジ部４４を支持する支持力で開口部３２内に保持され、フランジ部４４の上面は保持状態でカップカバー３０の上面と同一の水平面上に配置されている。
【００１１】
ヘッド部４３はベース部４２内に配置されたものである。このヘッド部４３はベース部４２と同心の円柱状をなすものであり、ヘッド部４３の上面はカップカバー３０の上面およびフランジ部４４の上面と同一の水平面上に配置されている。このヘッド部４３の外周面とベース部４２の内周面との間には盃挿入部４５が形成されている。この盃挿入部４５は盃１０の脚部１２が着脱可能に挿入される円環状の空間部を称するものであり、盃１０の脚部１２が盃挿入部４５内に挿入された状態では盃１０のうち伝熱部１３の下面がヘッド部４３の上面に接触し、脚部１２の内周面および外周面がヘッド部４３の外周面およびベース部４２の内周面に接触する。
【００１２】
盃台４１のベース部４２にはロッド部４６が一体形成されている。このロッド部４６は保温カップ２０内の貯留水中に浸漬されるものであり、ベース部４２およびヘッド部４３の双方と同心な円柱状をなしている。このロッド部４６は保温カップ２０内の温水の熱をヘッド部４３から盃１０の脚部１２および伝熱部１３に伝達し、盃１０内の酒の熱を脚部１２および伝熱部１３から保温カップ２０内の冷水に伝達するものであり、伝熱器本体として機能する。
【００１３】
次に酒燗冷装置の使用方法について説明する。
酒を温めて飲用するときには保温カップ２０内に温水を投入し、カップカバー３０のプラグ３１を保温カップ２０の内周面に嵌合する。次に伝熱器４０のロッド部４６をカップカバー３０の開口部３２を通して保温カップ２０内に挿入し、伝熱器４０のベース部４２をカップカバー３０の開口部３２内に嵌合する。この状態で伝熱器４０の盃挿入部４５内に盃１０の脚部１２を挿入し、盃１０の受皿部１１内に酒を注ぐ。すると、保温カップ２０内の温水から伝熱器４０のヘッド部４３を通して盃１０の脚部１２および伝熱部１３に熱が伝達され、盃１０内の酒が温水からの熱で温められるので、盃１０を伝熱器４０の盃挿入部４５内から抜取る。
酒を冷やして飲用するときには保温カップ２０内に氷水等の冷水を投入し、上述の手順で盃１０の受皿部１１内に酒を注ぐ。すると、盃１０内の酒から伝熱器のヘッド部４３およびロッド部４６を通して保温カップ２０内の氷水に熱が伝達され、盃１０内の酒が冷やされるので、盃１０を伝熱器４０の盃挿入部４５内から抜取る。
【００１４】
上記実施例１によれば次の効果を奏する。
酒の飲用者が盃台４１上の盃１０内に酒を移すと、盃１０と温水との間または盃１０と冷水との間で熱の授受が行われることに基いて盃１０内の酒が昇温または降温する。このため、飲用者が酒を１杯の盃１０毎に加熱または冷却することができるので、酒を継続的に適温で飲用することが可能になる。
盃１０の脚部１２を盃台４１の盃挿入部４５内に挿入すると、盃１０の脚部１２が盃台４１のベース部４２およびヘッド部４３の双方によって係止される。このため、盃１０の盃台４１に対する装着状態が安定するので、飲用者の手が保温カップ２０等に当ったときの衝撃で盃１０が盃台４１から落下することが防止される。
盃台４１のヘッド部４３を盃１０の底部の伝熱部１３に接触させた。このため、盃１０受皿部１１の底部が外周部に比べて高温化または低温化されるので、飲用者が受皿部１１の外周部を掴むときに熱い感触または冷たい感触を受け難くなる。
保温カップ２０内に温水または冷水を投入した。このため、温水または冷水の温度変動が抑制されるので、酒を適温で飲用することが可能な使用時間が長くなる。
【００１５】
上記実施例１においては、保温カップ２０内に冷水を投入する構成としたが、これに限定されるものではなく、例えば冷水に換えてドライアイスを投入しても良い。
上記実施例１においては、保温カップ２０内に温水を投入する構成としたが、これに限定されるものではなく、例えば常温水を投入しても良い。この構成の場合、保温カップ２０に電気的ヒータを装着し、保温カップ２０内の常温水を電気的ヒータによって加熱すると良い。
上記実施例１においては、伝熱器４０のロッド部４６を円柱状に形成したが、これに限定されるものではなく、例えばロッド部４６の内部をハニカム状に形成したり、ロッド部４６の外周面を歯車状に形成したり、ロッド部４６の外周面にシボ加工を施しても良い。この構成の場合、保温カップ２０内の温水または冷水とロッド部４６との接触面積が増えるので、盃１０内の酒の加熱効率および冷却効率が高まる。
上記実施例１においては、伝熱器４０をアルミニウムから形成したが、これに限定されるものではなく、要は錫等の熱伝導性が良好な金属から形成すれば良い。
上記実施例１においては、盃１０を錫から形成したが、これに限定されるものではなく、要はアルミニウム等の熱伝導性が良好な金属から形成すれば良い。
【図面の簡単な説明】
【００１６】
【図１】本発明の実施例１を示す図（酒燗冷装置の全体を盃・保温カップ・カップカバー・伝熱器の分解状態で示す斜視図）
【図２】酒燗冷装置の全体を盃・保温カップ・カップカバー・伝熱器を組立状態で示す断面図
【符号の説明】
【００１７】
１０は盃、１２は脚部、１３は伝熱部、２０は保温カップ（容器，保温容器）、４０は伝熱器、４１は盃台、４２はベース部、４３はヘッド部、４５は盃挿入部を示している。
【図１】
2006136612.tif 000003
【図２】
2006136612.tif 000004